(57)【特許請求の範囲】
【請求項１】
遊技盤の前面側より窓を通して表示画面を視認可能に遊技盤に取付られた表示器と、表示器の表示画面を遊技盤の前面側より窓に流入した球から保護するカバーとを備えた遊技表示装置において、表示器とカバーとの間に通風用の隙間を設けるとともに、隙間に放熱板を配置し、放熱板に表示器の前側面に接触する膨出部を設けたことを特徴とする遊技表示装置。  
【発明の詳細な説明】
【０００１】
【発明の属する技術分野】
本発明は、パチンコ機のような遊技機に用いられる表示装置に関する。
【０００２】
【従来の技術】
パチンコ機の表示装置には、遊技球が始動口に入賞することにより、遊技盤の中央に在る表示器（液晶、エレクトロルミネセンス、蛍光表示管、プラズマ等）で図柄を可変表示し、その停止した図柄が予め設定された所定図柄と一致することにより、遊技者に有利な大当りが開始するようにしたものが知られている。
【０００３】
【発明が解決しようとする課題】
従来の表示装置として液晶表示器を用いた表示装置を例にとると、パチンコ店の開店中は液晶表示器への電源が投入され、液晶表示パネルはバックライト及び回路素子の発熱により熱せられている。しかしながら、遊技球より液晶表示器の表示画面を保護するために、液晶表示器の表示画面は外部より内部を見ることが可能な透視性の有る無色な合成樹脂からなるカバーで覆われている。このため、液晶表示パネル側での放熱性が悪く、液晶表示パネルが熱的劣化を受けることは否めない。
【０００４】
そこで、本発明は、表示画面の冷却向上が図れる表示装置を提供するものである。
【０００５】
【課題を解決するための手段】
本発明にあっては、遊技盤の前面側より窓を通して表示画面を視認可能に遊技盤に取付られた表示器と、表示器の表示画面を遊技盤の前面側より窓に流入した球から保護するカバーとを備えた遊技表示装置において、表示器とカバーとの間に通風用の隙間を設けたことを特徴としている。よって、本発明によれば、表示器の表示画面側からの熱が隙間を流れる空気により隙間から外部に放出され、その結果、表示器の表示画面側での放熱性が良くなり、当該表示画面を表示器からの発熱から適切に保護できる。又、隙間に放熱板を配置し、放熱板に表示器の前側面に接触する膨出部を設けたので、放熱板の放熱面積が大きくなり、放熱性能が良くなる。  
【０００６】
【発明の実施の形態】
図１及び図２は本発明の第１実施形態であって、表示器として液晶表示器２０を例としている。図１は表示装置の組立構造を示し、図２は表示装置の分解構造を示す。図２において、１は合成樹脂製のセンタ飾り、２はセンタ飾り１の裏面側に突出した合成樹脂製の見切枠、３は見切枠２で囲まれてセンタ飾り１に開口する窓、４は見切枠２の周辺でセンタ飾り１の裏面側に突出した合成樹脂製の複数のカバー取付用支柱、５はセンタ飾り１の周縁部にあけられた複数の飾り取付孔である。１０はカバーであって、外部より内部を見ることが可能な透視性の有る無色な合成樹脂により板状に形成される。１１はカバー１０の周縁部より裏面側に突出した合成樹脂製の複数の表示器取付用支柱、１２は表示器取付用支柱１１より内側でカバー１０にあけられたカバー取付孔である。
【０００７】
２０は箱形の液晶表示器であって、液晶表示パネルや回路基板及びバックライト等の部品が金属製の前側ケース２１と金属製の後側ケース２２とを組合せたことにより形成された内部に積層状に格納されている。液晶表示パネルの表示画面で電気的に表示された図柄は前側ケース２１の前面に形成された四角形の開口部より視認し得る。上記回路基板には液晶表示パネルの表示画面に遊技の状況に応じた図柄を描くための液晶表示パネル駆動回路や液晶表示パネル駆動回路を制御する図柄制御回路等を構成するボードマイコンのような半導体集積回路やその他の電気部品が搭載されている。図柄制御回路は、パチンコ機の裏面で表示装置とは別の場所に搭載された主制御回路とも呼ばれる遊技制御回路からの出力により図柄表示制御動作を実行し、液晶表示パネルを液晶表示パネル駆動回路を介して電気的に駆動する。上記遊技制御回路から図柄制御回路への出力の種類には、デモ表示、左図柄変動開始、中図柄変動開始、右図柄変動開始、左図柄変動停止（停止図柄指示）、中図柄変動停止（停止図柄指示）、右図柄変動停止（停止図柄指示）、大当り決定表示、大当り中表示、大入賞口開放回数表示、大当り終了表示、カウントエラー表示、賞球エラー表示等がある。
【０００８】
２３は液晶表示器２０より突出した複数の取付脚部であって、前側ケース２１より曲折形成された金属板と後側ケース２２より曲折形成された金属板とで回路基板の隅部を挟む形態に形成されている。２４は各取付脚部２３にあけられた貫通孔である。３０はＧ盤と通称される遊技盤であって、意匠図柄の描かれた化粧シートが略方形なベニヤ板のような遊技基板の片側表面に貼付けられると共に遊技球を導くための遊技釘が打込まれている。３１は遊技盤３０にあけられた開口であって、見切枠２やカバー１０及び液晶表示器２０を挿入し得る大きさである。表示器取付用支柱１１のカバー１０からの高さＨは、液晶表示器２０の取付脚部２３からの前方への突出量Ｌよりも大きい寸法に設定される（Ｈ＞Ｌ）。４０；４１；４２は止めねじである。止めねじ４０は図２では１個示したが飾り取付孔５と同数であり、止めねじ４１は図２では１個示したがカバー取付用支柱４と同数であり、止めねじ４２は図２では１個示したが取付脚部２３と同数である。
【０００９】
図１と図２を参照し、センタ飾り１、カバー１０及び液晶表示器２０の遊技盤３０への取付けについて説明する。先ず、センタ飾り１とカバー１０とが止ねじ４１で取付けられ、カバー１０と液晶表示器２０とが止めねじ４２で取付けられる。センタ飾り１とカバー１０との取付け、カバー１０と液晶表示器２０との取付けのどちらが先でも良い。センタ飾り１とカバー１０とを取付けるには、カバー取付用支柱４の後端面にカバー１０の前面を重ね合せ、止めねじ４１をカバー取付孔１２よりカバー取付用支柱４に締結する。カバー１０と液晶表示器２０とを取付けるには、表示器取付用支柱１１の後端面に取付脚部２３の前面を重ね合せ、止めねじ４２を貫通孔２４より表示器取付用支柱１１に締結する。これによって、カバー１０と液晶表示器２０の前面である表示画面との間には、図２の寸法Ｈと寸法Ｌとの差による隙間４５が形成される。
【００１０】
次に、上記のように組立てられたセンタ飾り１とカバー１０及び液晶表示器２０からなる部品が遊技盤３０に止めねじ４０で取付けられる。センタ飾り１とカバー１０及び液晶表示器２０からなる部品を遊技盤３０に取付けるには、液晶表示器２０を開口３１に前側より挿入し、センタ飾り１を遊技盤３０の前面に重ね合せ、止めねじ４０を飾り取付孔５より開口３１周囲の遊技盤３０に締結する。これによって、図１に示すように、センタ飾り１とカバー１０及び液晶表示器２０が遊技盤３０の前側より止めねじ４０により遊技盤３０に取付けられる。
【００１１】
この状態において、パチンコ店の開店中は電源が投入されて液晶表示器２０が熱しても、隙間４５が液晶表示器２０の表示画面とカバー１０との間に設けられているので、上記液晶表示器２０の表示画面側からの熱は隙間４５を流れる空気により矢印Ｘ方向に放出される。よって、隙間４５における空気の移動、つまり、通風により、液晶表示器２０の表示画面側での放熱性が良くなり、係る表示画面が液晶表示器２０からの発熱から適切に保護される。
【００１２】
又、遊技盤３０の前面側よりセンタ飾り１の見切枠２で囲まれた図２の窓３に流入した球はカバー１０で遮られて液晶表示器２０の側に行かず遊技盤３０の前面側に流出するので、液晶表示器２０の表示画面は上記窓３に流入した球より保護される。又、遊技者は液晶表示器２０の表示画面に表示された図柄を窓３よりカバー１０及び隙間４５を通して認識できる。図１において、３２は遊技盤３０の裏面に取付けられた合成樹脂製のセット板である。セット板３２は、遊技盤３０の入賞口に入賞して遊技盤３０の裏面側に流出した球を所定方向に誘導する部品である。
【００１３】
図３及び図４は本発明の第２実施形態であって、図３は表示装置の組立構造を示し、図４はカバー５０を示す。図４において、カバー５０は前記カバー１０の遊技球からの保護機能に加えて放熱機能を備える。カバー５０は、透視性の有る無色な合成樹脂により板状に形成され、その周縁部より裏面側に突出した合成樹脂製の複数の表示器取付用支柱１１と、表示器取付用支柱１１より内側にあけられたカバー取付孔１２と、アルミニウム製の放熱板５１とを備える。放熱板５１は、前記センタ飾り１の窓３と略同形の窓５２と、窓５２を囲む周縁部に裏側に押出された複数の膨出部５３と、四隅に表示器取付用支柱１１及びカバー取付孔１２を逃げるように形成された切欠部５４とを備える。そして、放熱板５１の前面がカバー５０の裏面に重ね合され、カバー５０の裏面に予め設けられた合成樹脂からなる複数の突起５５が放熱板５１の周縁部に予めあけられた複数の貫通孔に挿入された後に加熱された鏝で潰されることにより、放熱板５１がカバー５０に固定する。又は、放熱板５１をインサート部材としてカバー５０の樹脂成形型の内部に収納した後、樹脂成形型の成形空間に合成樹脂材料を入れて、カバー５０を成形することにより、カバー５０と放熱板５１とを固定しても良い。
【００１４】
第２実施形態の構造によれば、表示器取付用支柱１１の後端面に取付脚部２３の前面を重ね合せ、止めねじ４２を貫通孔２４より表示器取付用支柱１１に締結することにより、カバー１０と液晶表示器２０の前面である表示画面との間には、図３に示すように、放熱板５１の膨出部５３による隙間５６が形成される。これによって、隙間５６では複数の膨出部５３相互間より通風が生じ、液晶表示器の表示画面側からの熱は隙間５６での通風により矢印Ｘ方向に放出される。又、膨出部５３は前側ケース２１の前面に設けられた図柄視認用の開口部を囲む周縁部に接触しているので、熱が前側ケース２１から放熱板５１に良好に伝達し、液晶表示器２０の放熱が促進される。又、膨出部５３が前側ケース２１に接触したことにより、放熱板５１がカバー５０の撓みを抑えることができる。膨出部５３は放熱板５１を押出し形成したが、放熱板５１とは別に形成された部材を放熱板５１に取付けて膨出部５３を形成しても良い。又、複数の膨出部５３のうちのいくつかに相当する放熱板５１の部分に貫通孔をあけ、当該貫通孔にカバー５０より突出した合成樹脂部分を挿入配置しても良い。
【００１５】
図５は本発明の第３実施形態を示す。図５において、液晶表示器２０の前側ケース２１には開口部２５を囲む周縁部に前記膨出部５３に相当する膨出部２７が前側に突出形成されている。２６は液晶表示パネル表示画面である。そして、液晶表示器２０が図２のカバー１０の表示器取付用支柱１１に止めねじ４２で固定されることにより、膨出部２７の前面がカバー１０の裏面に接触し、前記隙間５６に相当する隙間が液晶表示器２０とカバー１０との間に形成できる。この場合、前側ケース２１と膨出部２７とがアルミニウムにより形成されれば、放熱性能が更に良くなる。膨出部２７は前側ケース２１を押出し形成したが、前側ケース２１とは別に形成された部材を前側ケース２１に取付けて膨出部２７を形成しても良い。
【００１６】
図６は本発明の第４実施形態を示す。図６において、放熱板６０は前記放熱板５１に相当するものであるが、放熱板６０の周縁部が延設されて遊技盤３０とセット板３２との間に挿入され、放熱板６０が遊技盤３０とセット板３２とで支持されている。よって、放熱板６０は前記放熱板５１よりも放熱面積が増大し、放熱性能が良くなる。又、放熱板６０が遊技盤３０とセット板３２とで支持されたので、図４のカバー５０で放熱板５１を支持する必要がなく、放熱板６０はカバー１０と液晶表示器２０との間に配置されるだけで、膨出部６１が隙間５６を保持できる。又、放熱板６０が図４のカバー５０で放熱板５１を支持するようにカバー１０に固定されれば、放熱板６０がセンタ飾り１と液晶表示器２０とを連結するカバー取付用支柱４と表示器取付用支柱１１とからなる支持部材の中間を遊技盤３０に連結するので、液晶表示器２０のがたつきを抑制し、遊技盤３０に対する液晶表示器２０の取付姿勢が安定する。
【００１７】
図１の隙間４５の周囲においてカバー１０と液晶表示器２０との間にフィルタを介在させるか、図３又は図６の隙間５６の周囲において放熱板５１；６０と液晶表示器２０との間にフィルタを介在させれば、フィルタが外部から隙間４５；５６への塵の流入を防止し、液晶表示器２０の表示画面の汚れが防止できる。
【図面の簡単な説明】
【図１】  本発明の第１実施形態に係る表示装置を示す組立側面図。
【図２】  同第１実施形態の表示装置を分解して示す斜視図。
【図３】  本発明の第２実施形態に係る表示装置を示す組立側面図。
【図４】  同第２実施形態のカバーを示す斜視図。
【図５】  本発明の第３実施形態に係る表示器を示す斜視図。
【図６】  本発明の第４実施形態に係る表示装置を示す組立側面図。
【符号の説明】
１  センタ飾り
４  カバー取付用支柱
２０  表示器
１０；５０  カバー
４５；５６  隙間
５１；６０  放熱板
２７；５３；６１  膨出部
【図１】
0004346176.tif 000002
【図２】
0004346176.tif 000003
【図３】
0004346176.tif 000004
【図４】
0004346176.tif 000005
【図５】
0004346176.tif 000006
【図６】
0004346176.tif 000007